【手続補正書】
【提出日】令和3年3月10日(2021.3.10)
【手続補正１】
【補正対象書類名】特許請求の範囲
【補正対象項目名】全文
【補正方法】変更
【補正の内容】
【特許請求の範囲】
【請求項１】
スキャン画像に対して画像解析処理を実行することにより原稿画像の領域を検出し、当該検出した原稿画像の領域に基づいて傾き補正を実行することにより傾き補正後の原稿画像を得る画像解析手段と、
前記画像解析手段で得られた前記傾き補正後の原稿画像に基づいて、リピート対象領域を設定する設定手段と、
複数の用紙サイズ候補のそれぞれについて、前記リピート対象領域の画像を繰り返しレイアウトする場合の繰り返し回数を算出し、前記複数の用紙サイズ候補と当該算出した前記複数の用紙サイズ候補それぞれについての繰り返し回数とを一覧表示する第１の表示手段と、
ユーザにより指定された用紙サイズ内に、前記リピート対象領域の画像を繰返しレイアウトすることにより、リピートレイアウト処理後の出力画像を作成するリピートレイアウト手段と、
前記リピートレイアウト手段で作成された前記リピートレイアウト処理後の出力画像を用いて、印刷処理を実行する印刷手段と、
を備えることを特徴とする画像処理装置。
【請求項２】
前記リピートレイアウト手段で作成された出力画像のプレビュー画像を含むプレビュー画面を表示する第２の表示手段を更に備え、
前記印刷手段は、前記プレビュー画面において、印刷開始がユーザにより指示された場合に、前記リピートレイアウト手段で作成された前記リピートレイアウト処理後の出力画像を用いて、印刷処理を実行する、ことを特徴とする請求項１に記載の画像処理装置。
【請求項３】
前記リピートレイアウト手段は、前記一覧表示された前記複数の用紙サイズ候補の中から前記ユーザにより選択された用紙サイズ内に、前記リピート対象領域の画像を繰返しレイアウトすることにより、前記リピートレイアウト処理後の出力画像を作成する、ことを特徴とする請求項１または２に記載の画像処理装置。
【請求項４】
前記設定手段は、前記画像解析手段で得られた前記傾き補正後の原稿画像の領域を、初期のリピート対象領域として設定し、
前記第１の表示手段は、前記複数の用紙サイズ候補のそれぞれについて、前記初期のリピート対象領域の画像を繰り返しレイアウトする場合の繰り返し回数を算出し、前記複数の用紙サイズ候補と当該算出した前記複数の用紙サイズ候補それぞれについての繰り返し回数とを一覧表示する、
ことを特徴とする請求項１乃至３のいずれか１項に記載の画像処理装置。
【請求項５】
前記設定手段は、前記傾き補正後の原稿画像と前記リピート対象領域を示す枠とを表示し且つユーザの指示に基づいて当該リピート対象領域を示す枠の位置を変更可能にするためのリピート対象領域指定画面を表示して、前記リピート対象領域指定画面において確定された枠の位置に基づいて前記リピート対象領域を設定し、
前記第１の表示手段は、前記リピート対象領域指定画面で変更された枠の位置に対応するリピート対象領域の画像を、前記複数の用紙サイズ候補のそれぞれに繰り返しレイアウトする場合の繰り返し回数を算出し、前記複数の用紙サイズ候補と当該算出した前記複数の用紙サイズ候補それぞれについての繰り返し回数とを一覧表示する、
ことを特徴とする請求項１乃至４のいずれか１項に記載の画像処理装置。
【請求項６】
前記設定手段は、前記プレビュー画面においてリピート対象領域の変更がユーザにより指示された場合、前記傾き補正後の原稿画像と前記リピート対象領域を示す枠とを表示し且つユーザの指示に基づいて当該リピート対象領域を示す枠の位置を変更可能にするためのリピート対象領域指定画面を表示して、前記リピート対象領域指定画面において確定された枠の位置に基づいてリピート対象領域を設定する、ことを特徴とする請求項２に記載の画像処理装置。
【請求項７】
前記リピートレイアウト手段は、前記画像解析手段で得られた前記傾き補正後の原稿画像を初期のリピート対象領域の画像として、前記指定された用紙サイズ内に当該初期のリピート対象領域の画像を繰り返しレイアウトすることにより、前記リピートレイアウト処理後の出力画像を作成し、
前記第２の表示手段は、前記初期のリピート対象領域の画像に基づき作成されたリピートレイアウト処理後の出力画像のプレビュー画像を含むプレビュー画面を初期表示する、ことを特徴とする請求項２に記載の画像処理装置。
【請求項８】
前記設定手段は、前記画像解析手段で得られた前記傾き補正後の原稿画像の四辺に対応する位置に初期のリピート対象領域を示す枠を設定して、前記傾き補正後の原稿画像と前記初期のリピート対象領域を示す枠とを表示し且つユーザの指示に基づいて当該リピート対象領域を示す枠の位置を変更可能にするためのリピート対象領域指定画面を表示し、前記リピート対象領域指定画面において確定された枠の位置に基づいてリピート対象領域を設定するものであり
前記設定手段で表示される前記リピート対象領域指定画面は、前記第１の表示手段で表示される前記一覧より先に表示されるものであり、
前記第１の表示手段は、前記リピート対象領域指定画面において確定された枠の位置に基づき特定されるリピート対象領域の画像を、前記複数の用紙サイズ候補のそれぞれに繰り返しレイアウトする場合の繰り返し回数を算出し、前記複数の用紙サイズ候補と当該算出した前記複数の用紙サイズ候補それぞれについての繰り返し回数とを一覧表示する、ことを特徴とする請求項１乃至３のいずれか１項に記載の画像処理装置。
【請求項９】
前記画像解析手段で得られた前記傾き補正後の原稿画像が所定の条件を満たすか否か判定する判定手段、を更に備え、
前記判定手段で前記傾き補正後の原稿画像が前記所定の条件を満たすと判定した場合は、前記設定手段により、前記傾き補正後の原稿画像においてユーザの指示に基づき前記リピート対象領域を設定するためのリピート対象領域指定画面を表示させ、
前記判定手段で前記傾き補正後の原稿画像が前記所定の条件を満たさないと判定した場合は、前記第１の表示手段により、前記複数の用紙サイズ候補のそれぞれについて、前記リピート対象領域を繰り返しレイアウトする場合の繰り返し回数を算出させて、前記複数の用紙サイズ候補と当該算出した前記複数の用紙サイズ候補それぞれについての繰り返し回数とを一覧表示させる、ことを特徴とする請求項１乃至３のいずれか１項に記載の画像処理装置。
【請求項１０】
前記判定手段は、前記傾き補正後の原稿画像のサイズが所定のサイズより大きい場合に前記所定条件を満たす、と判定することを特徴とする請求項９に記載の画像処理装置。
【請求項１１】
前記判定手段は、前記傾き補正後の原稿画像内に、複数の属性の領域が含まれる場合に前記所定条件を満たす、と判定することを特徴とする請求項９に記載の画像処理装置。
【請求項１２】
前記繰り返し回数とは、１枚の用紙内に前記リピート対象領域の画像が配置される枚数であることを特徴とする請求項１乃至１１のいずれか１項に記載の画像処理装置。
【請求項１３】
コンピュータを、請求項１乃至１２のいずれか１項に記載の画像処理装置の各手段として機能させるためのプログラム。
【請求項１４】
請求項１３に記載のプログラムを格納した、コンピュータ読み取り可能な記憶媒体。
【請求項１５】
スキャン画像に対して画像解析処理を実行することにより原稿画像の領域を検出し、当該検出した原稿画像の領域に基づいて傾き補正を実行することにより傾き補正後の原稿画像を取得し、
前記取得された前記傾き補正後の原稿画像に基づいて、リピート対象領域を設定し、
複数の用紙サイズ候補のそれぞれについて、前記リピート対象領域の画像を繰り返しレイアウトする場合の繰り返し回数を算出し、前記複数の用紙サイズ候補と当該算出した前記複数の用紙サイズ候補それぞれについての繰り返し回数とを一覧表示し、
ユーザにより指定された用紙サイズ内に、前記リピート対象領域の画像を繰返しレイアウトすることにより、リピートレイアウト処理後の出力画像を作成し、
当該作成されたリピートレイアウト処理後の出力画像を出力する、
ことを特徴とする画像処理方法。
【手続補正２】
【補正対象書類名】明細書
【補正対象項目名】０００８
【補正方法】変更
【補正の内容】
【０００８】
上記課題を解決するために、本発明の画像処理装置は、スキャン画像に対して画像解析処理を実行することにより原稿画像の領域を検出し、当該検出した原稿画像の領域に基づいて傾き補正を実行することにより傾き補正後の原稿画像を得る画像解析手段と、前記画像解析手段で得られた前記傾き補正後の原稿画像に基づいて、リピート対象領域を設定する設定手段と、複数の用紙サイズ候補のそれぞれについて、前記リピート対象領域の画像を繰り返しレイアウトする場合の繰り返し回数を算出し、前記複数の用紙サイズ候補と当該算出した前記複数の用紙サイズ候補それぞれについての繰り返し回数とを一覧表示する第１の表示手段と、ユーザにより指定された用紙サイズ内に、前記リピート対象領域の画像を繰返しレイアウトすることにより、リピートレイアウト処理後の出力画像を作成するリピートレイアウト手段と、前記リピートレイアウト手段で作成された前記リピートレイアウト処理後の出力画像を用いて、印刷処理を実行する印刷手段と、を備えることを特徴とする。